(57)【要約】【課題】既設の端子台であっても圧着端子を手で保持することなく、圧着端子の端子台へ取付けを可能とする圧着端子取付け用治具を提供する。【解決手段】端子台１の奥側に固定される基盤部１１と、基盤部１１から端子台１の前部に向かって延びる弾性変形可能な部材から構成され端子台１に取付けられる圧着端子７の外周面の一側と接触可能な第一の保持部１２と、基盤部１１から端子台１の前部に向かって延びる弾性変形可能な部材から構成され端子台１に取付けられる圧着端子７の外周面の他側と接触可能な第二の保持部１３とを備える。【選択図】  図２
2009283203.tif 000002
【特許請求の範囲】
【請求項１】
端子台の奥側に固定される基盤部と、
前記基盤部から前記端子台の前部に向かって延びる弾性変形可能な部材から構成され前記端子台に取付けられる圧着端子の外周面の一側と接触可能な第一の保持部と、
前記基盤部から前記端子台の前部に向かって延びる弾性変形可能な部材から構成され前記端子台に取付けられる前記圧着端子の外周面の他側と接触可能な第二の保持部と、
を備えたことを特徴とする圧着端子取付け用治具。
【請求項２】
前記基盤部は前記端子台に着脱可能に固定されており、前記第一の保持部および前記第二の保持部には前記圧着端子の外周部の一部が進入可能な切欠部を有していることを特徴とする請求項１に記載の圧着端子取付け用治具。
【発明の詳細な説明】
【技術分野】
【０００１】
この発明は、電線の端部に設けられる圧着端子を容易に端子台に取付けることが可能な圧着端子取付け用治具に関する。
【背景技術】
【０００２】
制御盤内には、電線を接続するための端子台が設けられている。端子台に接続される電線の先端には、通常圧着端子が設けられており、圧着端子はネジを介して端子台に取付けられている。図１０は、従来における圧着端子の端子台への取付け作業を示してしている。図１０において、端子台１は仕切り壁２および奥壁３を有しており、圧着端子７が取付けられる接続導体４は仕切り壁２により区画されている。接続導体４には、ネジ穴５が形成されており、ネジ穴５には止めネジ８が螺合可能となっている。端子台１に電線６を接続する際には、電線６の先端に取付けられた圧着端子７を端子台１の前部側から奥側へ挿入し、圧着端子７を接続導体４に重ね合わせ、圧着端子７の固定用穴７ａの中心と接続導体４の止めネジ穴５の中心とを一致させる。そして、この状態で止めネジ８を圧着端子７の固定用穴７ａに挿入し、ドライバー（ネジ回し工具）９を使用して止めネジ８をネジ穴５に螺合させて、圧着端子７を接続導体４に取付けるようにしている。
【０００３】
圧着端子を端子台に取付ける技術の一例として、止めネジを保持する機能を有する端子台が知られている（例えば、特許文献１参照。）。この端子台は、圧着端子を固定する止めネジが端子台側に移動可能に保持されており、止めネジを端子台から取外すことなく、圧着端子の取付けが可能となっている。
【特許文献１】特開平５−６２７２５号公報
【発明の開示】
【発明が解決しようとする課題】
【０００４】
しかし、図１０に示す従来における圧着端子７の取付けは、作業者が一方の手で圧着端子７の固定用穴７ａをネジ穴５に合わせつつ、止めネジ８が落ちないように注意しながら他方の手でドライバー９を回す必要があり、作業が煩雑になるという問題があった。また、特許文献１の端子台はネジを保持する機構を予め端子台に内蔵させる必要があり、既設の端子台には適用できないという問題がある。
【０００５】
圧着端子の取付けは、既存の装置などの改造や修理のために既設の端子台を用いて行われることがあり、既設の端子台を対象として圧着端子の取付けが容易となる治具の開発が望まれる。
【０００６】
そこでこの発明は、既設の端子台であっても圧着端子を手で保持することなく、圧着端子の端子台へ取付けを可能とする圧着端子取付け用治具を提供することを目的とする。
【課題を解決するための手段】
【０００７】
上記目的を達成するために請求項１に記載の発明は、端子台の奥側に固定される基盤部と、前記基盤部から前記端子台の前部に向かって延びる弾性変形可能な部材から構成され前記端子台に取付けられる圧着端子の外周面の一側と接触可能な第一の保持部と、前記基盤部から前記端子台の前部に向かって延びる弾性変形可能な部材から構成され前記端子台に取付けられる前記圧着端子の外周面の他側と接触可能な第二の保持部と、を備えたことを特徴とする圧着端子取付け用治具である。
【０００８】
この発明によれば、圧着端子を端子台の奥側へ押込むことにより、圧着端子の外周面が第一の保持部と第二の保持部の弾性力により挟持され、圧着端子を手で保持することなく圧着端子の端子台への取付けが可能となる。
【０００９】
請求項２に記載の発明は、請求項１に記載の圧着端子取付け用治具において、前記基盤部は前記端子台に着脱可能に固定されており、前記第一の保持部および前記第二の保持部には前記圧着端子の外周部の一部が進入可能な切欠部を有していることを特徴としている。
【発明の効果】
【００１０】
請求項１に記載の発明によれば、圧着端子は第一の保持部および第二の保持部によって挟持されるので、圧着端子を手で保持する必要がなく、圧着端子の端子台への取付け作業能率の高めることができる。また、基盤部は端子台に固定させるだけでよいので、圧着端子取付け用治具は複雑な構造にはならず、既存の端子台にも適用可能となる。さらに、通電時における作業の場合は、圧着端子取付け用治具によって仮固定された圧着端子と他の圧着端子と接触することを回避でき、圧着端子同士の接触による短絡事故の発生を防止することができる。
【００１１】
請求項２に記載の発明によれば、基盤部は端子台に着脱可能に固定されているので、圧着端子の取付けが完了した際には、圧着端子取付け用治具を端子台から取外すことにより、取外した圧着端子取付け用治具の別の部位で再使用することができる。また、切欠部には、圧着端子の外周部の一部が進入するので、第一の保持部と第二の保持部による圧着端子の保持姿勢が安定し、圧着端子の保持機能を高めることができる。
【発明を実施するための最良の形態】
【００１２】
つぎに、この発明の実施の形態について図面を用いて詳しく説明する。
【００１３】
（実施の形態１）
図１ないし図６は、この発明の実施の形態１を示している。図３に示すように、端子台１は長手方向に延びる板状のベース１ａを有しており、ベース１ａは例えば電気絶縁性を有する樹脂部材から構成されている。ベース１ａの上面には、ベース１ａの長手方向に対して直交する方向に延びる仕切り壁２が形成されており、仕切り壁２はベース１ａの長手方向に所定の間隔をおいて形成されている。ベース１ａの上面には、ベース１ａの長手方向に延びる奥壁３が形成されている。仕切り壁２と奥壁３は、ベース１ａと一体成形されており、各仕切り壁２の奥側は奥壁３と連結されている。各仕切り壁２の間に位置するベース１ａの上面には、金属製の接続導体４が固定されている。接続導体４には、圧着端子７を取付けるためのネジ穴５が形成されている。接続導体４の奥壁３側には、平面形状が長方形の係合穴４ａが形成されている。
【００１４】
図１は、圧着端子取付け用治具１０を示しており、圧着端子取付け用治具１０は、例えば金属板をプレス加工して製造される。圧着端子取付け用治具１０は、主に基盤部１１と、第一の保持部１２と、第二の保持部１３とを有している。基盤部１１は、端子台１の奥壁３に対して平行となる板状に形成されており、基盤部１１には下方に延びる係合部１１ａが形成されている。係合部１１ａは、接続導体４の係合穴４ａに挿入可能な角型に形成されている。係合部１１ａが係合穴４ａに挿入された状態では、係合部１１ａと係合穴４ａの内面との係合により、基盤部１１は接続導体４の上面と平行な方向に移動不可となっている。図３に示すように、基盤部１１における端子台１の長手方向の長さＷは、一方の仕切り壁２の側面とこの仕切り壁２に対向する他方の仕切り壁２の側面との間の寸法よりも若干短くなっている。これにより、圧着端子取付け用治具１０は、両側の仕切り壁２と干渉することなく端子台１に装着可能となっている。
【００１５】
基盤部１１の一端部には、端子台１のベース１ａの前部１ｂに向かって延びる第一の保持部１２が連結されている。基盤部１１の他端部には、端子台１のベース１ａの前部１ｂに向かって延びる第二の保持部１３が連結されている。第一の保持部１２と第二の保持部１３は、互いに対向するように配置されている。第一の保持部１２は、基盤部１１の一端部から第二の保持部１３に近づくように斜め方向に延びており、途中に形成された湾曲部１２ｃにより先端部側は第二の保持部１３から離れる方向に延びている。第二の保持部１３は、基盤部１１の他端部から第一の保持部１２に近づくように斜め方向に延びており、途中に形成された湾曲部１３ｃにより先端部側は第一の保持部１２から離れる方向に延びている。
【００１６】
第一の保持部１２は、基盤部１１との連結部分を中心として接続導体４の上面と平行な方向に弾性変形可能となっている。同様に、第二の保持部１３は、基盤部１１との連結部分を中心として接続導体４の上面と平行な方向に弾性変形可能となっている。これにより、第一の保持部１２と第二の保持部１３は板バネと同様の機能を有している。湾曲部１２ｃは、端子台１に取付けられる圧着端子７の外周面の一側と接触可能な部位であり、湾曲部１３ｃは、端子台１に取付けられる圧着端子７の外周面の他側と接触可能な部位である。湾曲部１２ｃと湾曲部１３ｃは対向して配置されており、端子台１に取付けられる圧着端子７の外周面は、湾曲部１２ｃと湾曲部１３ｃによって挟持されるようになっている。
【００１７】
第一の保持部１２の上端部は、端子台１の仕切り壁２の側面に向かって斜め上方に延びる傾斜部１２ａに形成されている。第二の保持部１３の上端部は、端子台１の仕切り壁２の側面に向かって斜め上方に延びる傾斜部１３ａに形成されている。第一の保持部１２および第二の保持部１３の上端部を傾斜させたのは、止めネジ８の頭部に座金の機能を有する半径方向に広がる傘が形成されている場合、傘と傾斜部１２ａ、１３ａとの接触により第一の保持部１２と第二の保持部１３を外側へ開き易くするためである。第一の保持部１２の下端部には、圧着端子７の外周部の一部が進入可能な第一の切欠部１２ｂが形成されている。第一の切欠部１２ｂは、基盤部１１との連結部と湾曲部１２ｃとの間に位置している。第二の保持部１３の下端部には、圧着端子７の外周部の一部が進入可能な第二の切欠部１３ｂが形成されている。第二の切欠部１３ｂは、基盤部１１との連結部と湾曲部１３ｃとの間に位置している。
【００１８】
図２は、圧着端子取付け用治具１０と端子台１との位置関係を示している。圧着端子取付け用治具１０が端子台１に装着された状態では、第一の保持部１２の湾曲部１２ｃと第二の保持部１３の湾曲部１３ｃは、ネジ穴５の中心から距離Ｈだけ端子台１の前部１ｂ側に位置している。この状態では、圧着端子７の固定用穴７ａの中心とネジ穴５の中心は合致している。第一の切欠部１２ｂおよび第二の切欠部１３ｂは、第一の保持部１２と第二の保持部１３によって保持される圧着端子７の姿勢を安定させ、かつネジ穴５と固定用穴７ａとの位置合わせのために設けられているが、圧着端子７の先端部を基盤部１１に接触させ、圧着端子７の一側の外周面と他側の外周面をそれぞれ第一の保持部１２と第二の保持部１３に接触させることにより、切欠部１２ｂ、１３ｂがなくともネジ穴５と圧着端子７の固定用穴７ａとの位置合わせは可能となる。ここで、第一の保持部１２の湾曲部１２ｃと第二の保持部１３の湾曲部１３ｃをネジ穴５の中心から距離Ｈだけ端子台１の前部１ｂ側にずらしているのは、圧着端子７の先端部を基盤部１１に接触させるための押圧力を生じさせるためである。
【００１９】
圧着端子取付け用治具１０は、第一の保持部１２と第二の保持部１３に板ばねと同様の機能を持たせるために、金属板をプレス加工して製造されているが、電気的絶縁性を有する樹脂から構成することも可能である。また、圧着端子取付け用治具１０は、圧着端子７の端子台１への取付け後は、そのまま放置してもよいし、取外して再利用することも可能である。再利用する場合は、圧着端子取付け用治具１０を端子台１から引抜く必要があるので、基盤部１１の係合部１１ａの反対側に引抜き用の取っ手などを設けるのが望ましい。
【００２０】
上記の実施の態様１においては、圧着端子７を端子台１に取付ける度に、圧着端子取付け用治具１０を端子台１に装着する構成としているが、予め端子台１に圧着端子取付け用治具１０を装着させておく構成としてもよい。
【００２１】
つぎに、圧着端子取付け用治具１０の作用について説明する。図３ないし図６は、圧着端子取付け用治具１０の装着手順および圧着端子７の取付け手順を示している。図３に示すように、圧着端子７の端子台１への取付ける前準備として、圧着端子取付け用治具１０の端子台１への装着が行われる。ここでは、まず圧着端子取付け用治具１０を端子台１の接続導体４の直上に位置させ、その後、圧着端子取付け用治具１０の基盤部１１の係合部１１ａを接続導体４の係合穴４ａに挿入し、圧着端子取付け用治具１０を端子台１に装着する。この状態では、係合部１１ａは係合穴４ａの内面と係合し、圧着端子取付け用治具１０は接続導体４の上面に対して平行な方向への移動が規制される。
【００２２】
つぎに、図４に示すように、作業者によって電線６の先端に取付けられた圧着端子７を端子台１の前部１ｂから奥壁３に向けて押込む。圧着端子７を奥壁３に向けて押込む際には、図２に示すように、第一の保持部１２の湾曲部１２ｃと第二の保持部１３の湾曲部１３ｃが圧着端子７の外周面と接触し、第一の保持部１２と第二の保持部１３は互いに離れる方向に弾性変形する。さらに、圧着端子７を奥壁３に向けて押込むと、圧着端子７の外周部の一部は、第一の切欠部１２ｂと第二の切欠部１３ｂに進入する。この状態では、第一の保持部１２および第二の保持部１３は互いに接近する方向に力が作用するので、圧着端子７は第一の保持部１２および第二の保持部１３により挟持されることになる。圧着端子７が切欠部１２ｂ、１３ｂに進入し状態では、圧着端子７は上下方向および左右方向のいずれにも移動することができないため、圧着端子７は接続導体４の上面に密着した状態に拘束される。また、圧着端子７が切欠部１２ｂ、１３ｂに進入し状態では、圧着端子７の固定用穴７ａと接続導体４のネジ穴５との中心が合致し、圧着端子７は最適な位置に位置決めされる。
【００２３】
図５は、圧着端子７が第一の保持部１２および第二の保持部１３によって保持された状態を示している。圧着端子７は、第一の保持部１２および第二の保持部１３によって端子台１に仮固定されているので、圧着端子７を止めネジ８を介して端子台１の接続導体４に取付ける際には、作業者によって圧着端子７を保持する必要がない。したがって、作業者は例えば左手に止めネジ８を持ち、右手でドライバー９を持つことができるので、止めネジ８を容易にネジ穴５の中心に合わせることができる。そして、止めネジ８をドライバー９によって回転させることにより、止めネジ８をネジ穴５に螺合させることができる。止めネジ８が完全に締め付けられた状態では、圧着端子７が接続導体４に密着し、圧着端子７と接続導体４は導通状態となる。図６に示すように、実施の形態１においては、圧着端子取付け用治具１０は、圧着端子７の取付け完了後もそのまま端子台１に残されるが、上述したように取っ手などを基盤部１１に形成することにより、圧着端子取付け用治具１０を端子台１から取外すことが可能となり、圧着端子取付け用治具１０を再利用することができる。
【００２４】
このように、圧着端子取付け用治具１０を用いることにより、圧着端子７を手で保持する必要がなくなり、圧着端子７の端子台１への取付け作業能率の高めることができる。また、圧着端子７は第一の保持部１２および第二の保持部１３の挟持によって端子台１に仮固定されるので、通電作業時には圧着端子７が他の圧着端子と接触することが回避することができ、圧着端子同士の接触による短絡事故の発生を防止することができる。さらに、通電状態で圧着端子７を取付けなければならない場合であっても、圧着端子７を手で触れる必要がなくなるので、感電事故を未然に防止することも可能となる。
【００２５】
実施の形態１においては、圧着端子取付け用治具１０は、基盤部１１の係合部１１ａを接続導体４の係合穴４ａに挿入することで、端子台１に固定するようにしているが、基盤部１１の長さＷを仕切り壁２の間隔よりも若干長くし、基盤部１１を両方の仕切り壁２の間に嵌める構造とすれば、係合部１１ａは不要となり、係合穴４ａのない既存の端子台１であっても基盤部１１を端子台１に固定することが可能となる。
【００２６】
（実施の形態２）
図７は、この発明の実施の形態２を示している。実施の形態１においては、圧着端子取付け用治具１０は薄板状の金属部材から構成されているが、実施の形態２では、圧着端子取付け用治具２０は弾性体としてのゴムから構成されている。圧着端子取付け用治具２０は、主に基盤部２１と、第一の保持部２２と、第二の保持部２３とを有している。基盤部２１は、奥壁３と接触可能な板状に形成されている。基盤部２１は、端子台１の長手方向に延びており、その長さは一方の仕切り壁２と他方の仕切り壁２との間の距離よりも若干短く設定されている。第一の保持部２２は、基盤部２１の一端部から端子台１のベース１ａの前部１ｂに向かって延びている。第二の保持部２３は、基盤部１１の他端部から端子台１のベース１ａの前部１ｂに向かって延びている。第一の保持部２２と第二の保持部２３は、互いに対向するように配置されている。基盤部２１と第一の保持部２２と第二の保持部２３は、例えば溶融したゴムを金型に流し込むことにより、一体成形されている。第一の保持部２２の中央部は、第二の保持部２３に向かって湾曲して延びる湾曲部２２ａに形成されている。第二の保持部２３の中央部は、第一の保持部２２に向かって湾曲して延びる湾曲部２３ａに形成されている。湾曲部２２ａと湾曲部２３ａとの間の寸法は、圧着端子７の外周部の直径よりも小に設定されている。
【００２７】
このように構成された実施の形態２においては、圧着端子７の端子台１への取付け前に、圧着端子取付け用治具２０が端子台１に装着される。その後、圧着端子７が端子台１の奥壁３に向けて押込まれる。ここで、第一の保持部２２の湾曲部２２ａと第二の保持部２３の湾曲部２３ａとの間の寸法は、圧着端子７の外周部の直径よりも小に設定されているので、圧着端子７の押込みにより圧着端子７の外周部が湾曲部２２ａと湾曲部２３ａに接触するが、湾曲部２２ａと湾曲部２３ａはゴムから構成されているので、圧着端子７は湾曲部２２ａと湾曲部２３ａとの弾性変形により、湾曲部２２ａと湾曲部２３ａを通過し、圧着端子７の先端部は基盤部２１に到達する。圧着端子７の先端部が基盤部２１に接触した状態では、圧着端子７の外周面は、基盤部２１と第一の保持部２２と第二の保持部２３の三ヶ所で接触することになり、圧着端子７は安定した状態で保持される。実施の形態２においても、圧着端子７の端子台１への取付け完了後は、圧着端子取付け用治具２０をそのまま放置してもよいし、端子台１から圧着端子取付け用治具２０を取外し、圧着端子取付け用治具２０を再利用してもよい。
【００２８】
（実施の形態３）
図８は、この発明の実施の形態３を示している。実施の形態２においては、奥壁３を有する端子台１に圧着端子取付け用治具２０を装着する例を示したが、実施の形態３では奥壁３が無い端子台１への圧着端子取付け用治具３０の装着を示している。圧着端子取付け用治具３０は、主に基盤部３１と、第一の保持部３２と、第二の保持部３３とを有している。基盤部３１は、所定の厚みを持った板状に形成されており、端子台１の長手方向に延びている。第一の保持部３２は、基盤部３１の一端部から端子台１の前部に向かって延びている。第二の保持部３３は、基盤部３１の他端部から端子台１の前部に向かって延びている。第一の保持部３２と第二の保持部３３は、互いに対向するように配置されている。基盤部３１と第一の保持部３２と第二の保持部３３は、実施の形態２と同様に、溶融したゴムを金型に流し込むことにより一体成形されている。
【００２９】
第一の保持部３２の内側中央部は、第二の保持部３３に向かって湾曲して延びる湾曲部３２ａに形成されている。第二の保持部３３の内側中央部は、第一の保持部３２に向かって湾曲して延びる湾曲部３３ａに形成されている。湾曲部３２ａと湾曲部３３ａとの間の寸法は、圧着端子７の外周部の直径よりも小に設定されている。第一の保持部３２には、一方の仕切り壁２が嵌合可能な第一の保持溝３２ｂが形成されており、第二の保持部３３には他方の仕切り壁２が嵌合可能な第二の保持溝３３ｂが形成されている。
【００３０】
このように構成された実施の形態３においては、圧着端子７の端子台１への取付け前に、圧着端子取付け用治具３０が端子台１に装着される。圧着端子取付け用治具３０の端子台１への装着に際しては、第一の保持溝３２ｂに一方の仕切り壁２を嵌合させ、第二の保持溝３３ｂに他方の仕切り壁２を嵌合させる。これにより、圧着端子取付け用治具３０の左右が仕切り壁２によって支持されることになり、圧着端子取付け用治具３０は端子台１に確実に装着された状態となる。その後、圧着端子７を端子台１の奥側に向けて押込む。ここで、第一の保持部３２の湾曲部３２ａと第二の保持部３３の湾曲部３３ａとの間の寸法は、圧着端子７の外周部の直径よりも小に設定されているので、圧着端子７の押込みにより圧着端子７の外周部が湾曲部３２ａと湾曲部３３ａに接触するが、湾曲部３２ａと湾曲部３３ａはゴムから構成されているので、圧着端子７は湾曲部３２ａと湾曲部３３ａとの弾性変形により、湾曲部３２ａと湾曲部３３ａを通過し、圧着端子７の先端部は基盤部３１に到達する。圧着端子７の先端部が基盤部３１に接触した状態では、圧着端子７の外周面は、基盤部３１と第一の保持部３２と第二の保持部３３の三ヶ所で接触することになり、圧着端子７は安定した状態で保持される。圧着端子７の端子台１への取付け完了後は、圧着端子取付け用治具３０は端子台１から取外される。
【００３１】
以上、この発明の実施の形態を詳述してきたが、具体的な構成は上記の実施の形態に限られるものではなく、この発明の要旨を逸脱しない範囲の設計の変更等があっても、この発明に含まれる。例えば、図９に示すように、圧着端子取付け用治具１０に貫通穴１４ａを有する底壁１４を形成し、底壁１４を接続導体４に密着させる構成にしてもよい。また、圧着端子取付け用治具１０、２０、３０における圧着端子７を保持する部位は、湾曲部などに形状に限定されることはなく、これ以外の形状であっても圧着端子７を保持することは可能である。
【図面の簡単な説明】
【００３２】
【図１】本発明の実施の形態１に係わる圧着端子取付け用治具の斜視図である。
【図２】図１の圧着端子取付け用治具を使用した圧着端子の端子台への取付け状態を示す平面図である。
【図３】図１の圧着端子取付け用治具の端子台への装着手順を示す斜視図である。
【図４】図１の圧着端子取付け用治具が装着された端子台へ圧着端子を押込む状態を示す斜視図である。
【図５】図１の圧着端子取付け用治具を使用して圧着端子を止めネジで端子台に取付ける状態を示す斜視図である。
【図６】図１の圧着端子取付け用治具を使用して圧着端子を端子台へ取付けた状態を示す斜視図である。
【図７】本発明の実施の形態２に係わる圧着端子取付け用治具の平面図である。
【図８】本発明の実施の形態３に係わる圧着端子取付け用治具の平面図である。
【図９】図１の圧着端子取付け用治具の変形例を示す斜視図である。
【図１０】従来における圧着端子の端子台への取付け状態を示す斜視図である。
【符号の説明】
【００３３】
１          端子台
１ａ        ベース
２          仕切り壁
３          奥壁
４          接続導体
５          ネジ穴
７          圧着端子
８          止めネジ
１０        圧着端子取付け用治具
１１        基盤部
１１ａ      係合部
１２        第一の保持部
１２ｂ      第一の切欠部（切欠部）
１３        第二の保持部
１３ｂ      第二の切欠部（切欠部）
２０        圧着端子取付け用治具
２１        基盤部
２２        第一の保持部
２３        第二の保持部
３０        圧着端子取付け用治具
３１        基盤部
３２        第一の保持部
３３        第二の保持部
【図１】
2009283203.tif 000003
【図２】
2009283203.tif 000004
【図３】
2009283203.tif 000005
【図４】
2009283203.tif 000006
【図５】
2009283203.tif 000007
【図６】
2009283203.tif 000008
【図７】
2009283203.tif 000009
【図８】
2009283203.tif 000010
【図９】
2009283203.tif 000011
【図１０】
2009283203.tif 000012